(57)【要約】【課題】コンピュータのＣＰＵの動作の有無にかかわらず、異常状態でコンピュータのシステムが止まってしまった場合にも起動することができる情報処理装置および制御方法を提供する。【解決手段】電源ボタン３２から電源オン要求があった場合に、Root Complex２１に電源オン要求信号を入力し、応答信号が所定時間なかった場合に、応答信号が所定時間なかったことをＬＥＤ１９に表示し、リセットボタン１７からリセット要求があった場合は、Root Complex２１にＲＴＣリセット回路３１からリセット信号を出力する。【選択図】      図１
2007299032.tif 000002
【特許請求の範囲】
【請求項１】
チップセットと、
電源オン要求の入力を行う入力手段と、
前記入力手段から電源オン要求が入力された場合に、前記チップセットに電源オン要求信号を入力するマイクロコントローラと、
前記チップセットに電源オン要求信号を入力した後に、前記電源オン要求信号に対する応答信号が所定時間なかった場合に、応答信号が所定時間なかったことを示す表示を行う表示手段と、
前記表示手段に前記応答信号が所定時間なかったことを示す表示を行った後に、前記入力手段からリセット要求が入力された場合は、前記マイクロコントローラからの指令によって前記チップセットにリセット信号を出力するリセット回路と、
を具備することを特徴とする情報処理装置。
【請求項２】
請求項１に記載の情報処理装置において、
前記表示手段は、ＬＥＤおよびＬＣＤのうちの少なくとも１つであることを特徴とする情報処理装置。
【請求項３】
請求項１記載の情報処理装置において、
前記応答信号が所定時間なかったことを示す表示は、前記ＬＥＤに所定の色を点灯させる処理、および前記ＬＣＤに表示する処理のうち、少なくとも１つであることを特徴とする情報処理装置。
【請求項４】
請求項１に記載の情報処理装置において、
前記チップセットは、リセット信号が入力されると、前記チップセット内のレジスタがクリアされ、リセットされることを特徴とする情報処理装置。
【請求項５】
チップセットと、電源オン要求の入力を行う入力手段と、前記入力手段から電源オン要求が入力された場合に、前記チップセットに電源オン要求信号を入力するマイクロコントローラとを備えた情報処理装置の制御方法であって、
前記チップセットに電源オン要求信号を入力した後に、前記電源オン要求信号に対する応答信号が所定時間なかった場合に、応答信号が所定時間なかったことを示す表示を行う表示ステップと、
前記表示ステップによる表示後に、前記入力手段からリセット要求が入力された場合は、前記マイクロコントローラからの指令によって前記チップセットにリセット信号を出力するリセットステップと、
を有することを特徴とする制御方法。
【発明の詳細な説明】
【技術分野】
【０００１】
本発明は、ノート型コンピュータのリセット処理の制御に係り、特に電源をオンした場合にコンピュータが起動しない場合でも、リセット処理を行うことにより起動することができる情報処理装置および制御方法に関する。
【背景技術】
【０００２】
ノート型のパーソナルコンピュータにおいて、例えば特開２００２−１４９２６０号公報に開示されているように、強制立ち上げスイッチ付きコンピュータ装置においては、完全に電源がオンし、コンピュータのＣＰＵが動作しはじめた後に、異常状態で当該コンピュータのシステムが止まってしまった場合に、強制立ち上げを行っている（特許文献１参照）。
【特許文献１】特開２００２−１４９２６０号公報
【発明の開示】
【発明が解決しようとする課題】
【０００３】
しかし、上述した技術では、強制立ち上げの機能が有効であるのは、コンピュータのＣＰＵが動作しはじめた後に限られるので、コンピュータのＣＰＵが動作しはじめる前に、異常状態でコンピュータのシステムが止まってしまった場合には対処できない。
【０００４】
本発明の目的は、コンピュータのＣＰＵの動作の有無にかかわらず、異常状態でコンピュータのシステムが止まってしまった場合にも起動することができる情報処理装置および制御方法を提供することである。
【課題を解決するための手段】
【０００５】
上記目的を達成するために、本発明の一態様によれば、チップセットと、電源オン要求の入力を行う入力手段と、前記入力手段から電源オン要求があった場合に、前記チップセットに電源オン要求信号を入力するマイクロコントローラと、前記チップセットに電源オン要求信号を入力した後に、前記電源オン要求信号に対する応答信号が所定時間なかった場合に、応答信号が所定時間なかったことを示す表示を行う表示手段と、前記表示手段に前記応答信号が所定時間なかったことを示す表示を行った後に、前記入力手段からリセット要求があった場合は、前記マイクロコントローラからの指令によって前記チップセットにリセット信号を出力するリセット回路と、を具備することを特徴とする情報処理装置が提供される。
【発明の効果】
【０００６】
本発明を用いることにより、コンピュータのＣＰＵの動作の有無にかかわらず、異常状態でコンピュータのシステムが止まってしまった場合にも起動することができる情報処理装置および制御方法を提供することができる。
【発明を実施するための最良の形態】
【０００７】
以下図面を参照して、本発明の実施形態について説明する。
【０００８】
図１には、本発明の一実施形態に係る情報処理装置の斜視図が示されている。この情報処理装置は、バッテリ駆動可能なノートブック型コンピュータ１０として実現されている。
【０００９】
図１に示すように、コンピュータ１０は、本体１６と、ディスプレイ１１とから構成されている。ディスプレイ１１にはＬＣＤ（Liquid Crystal Display）からなる表示装置が組み込まれており、そのＬＣＤの表示画面１２はディスプレイ１１のほぼ中央に位置されている。
【００１０】
ディスプレイ１１は、コンピュータ１０に対して解放位置と閉塞位置との間を開閉自在に取り付けられている。コンピュータ１０の本体側は薄い箱形の筐体を有しており、その上面には、キーボード１３、パームレスト上にはタッチパッド１４、および左右２つのボタン１４ａ、１４ｂ、メール等の各種ショートカットボタン１８、電源ボタン３２等が配置されている。また、本体１６の側面には、光学ドライブ１５、リセットボタン１７等が設けられている。
【００１１】
図２は、コンピュータの構成を示したブロック図である。
【００１２】
コンピュータ１０は、ＣＰＵ（Central Processing Unit）２０、Root Complex２１、主メモリ２４、グラフィクスコントローラ(End Point)２３、Root Complex（チップセット）２１とグラフィクスコントローラ２３とを接続するPCI Express Link２２、ディスプレイ（ＬＣＤ）１１、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、ＥＣ／ＫＢＣ２７に接続された入力デバイスである、リセットボタン１７、キーボード１３、タッチパッド１４、ＲＴＣリセット回路３１、ＬＥＤ１９などを備えている。
【００１３】
Root Complex２１、グラフィクスコントローラ２３等は、PCI EXPRESS規格に準拠したデバイス（デバイス）である。Root Complex２１とグラフィクスコントローラ２３との間の通信は、Root Complex２１とグラフィクスコントローラ２３との間に配設されたPCI Express Link２２を介して実行される。
【００１４】
ＣＰＵ２０は、本コンピュータ１０の動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳはハードウェアを制御するためのプログラムである。
【００１５】
Root Complex２１は、ＣＰＵ２０のローカルバスとグラフィクスコントローラ２３との間を接続するブリッジデバイスである。また、Root Complex２１は、PCI Express Link２２を介してグラフィクスコントローラ２３との通信を実行する機能も有している。
【００１６】
グラフィクスコントローラ２３は、本コンピュータのディスプレイモニタとして使用されるディスプレイ１１を制御する表示コントローラである。
【００１７】
ＥＣ／ＫＢＣ２７は、電力管理のためのエンベデッドコントローラと、キーボード１３およびタッチパッド１４等を制御するためのキーボードコントローラとが集積された１チップマイクロコンピュータである。このＥＣ／ＫＢＣ２７は、ユーザによる電源ボタン３２の操作に応じて、電源コントローラと共同して、本コンピュータ１０をパワーオン／パワーオフする機能等を有している。また、ＥＣ／ＫＢＣ２７は、リセットボタン１７からのリセット要求に応じてRoot Complex２１にリセット信号を出力するようにＲＴＣリセット回路３１をドライブする。
【００１８】
次に本発明の一実施形態に係る情報処理装置の制御方法について、図３のフローチャートを参照して説明する。
【００１９】
なお、本実施形態では、コンピュータ１０の電源が入ってない状態から電源をオンする場合の動作について説明する。
【００２０】
コンピュータ１０のＥＣ／ＫＢＣ２７は、電源ボタン３２からの電源オン要求があった場合には（ステップＳ１０１のＹＥＳ）、Root Complex２１に電源オン要求を入力する（ステップＳ１０２）。コンピュータ１０のＥＣ／ＫＢＣ２７は、電源オン要求が入力されたRoot Complex２１からの応答信号が規定時間内、例えば１〜２秒以内にあるか否かを判別する。コンピュータ１０のＥＣ／ＫＢＣ２７によって、電源オン要求が入力されたRoot Complex２１からの応答信号が規定時間内にあったと判別した場合は（ステップＳ１０３のＹＥＳ）、電源をオンする（ステップＳ１０４）。一方、コンピュータ１０のＥＣ／ＫＢＣ２７によって、電源オン要求が入力されたRoot Complex２１からの応答信号が規定時間内になかったと判別した場合は（ステップＳ１０３のＮＯ）、異常状態として、表示手段である例えばＬＥＤ１９を点灯または点滅させる（ステップＳ１０５）。または図示しないＥＣ／ＫＢＣ２７に接続されたＬＣＤに所定の表示を出してもよい。
【００２１】
続いて、コンピュータ１０のＥＣ／ＫＢＣ２７は、リセットボタン１７からのリセット要求があるか否かを判別する（ステップＳ１０６）。コンピュータ１０のＥＣ／ＫＢＣ２７によって、リセットボタン１７からのリセット要求があると判別された場合は（ステップＳ１０６のＹＥＳ）、ＥＣ／ＫＢＣ２７は、Root Complex２１に対してリセット信号を出力するようにＲＴＣリセット回路３１をドライブする（ステップＳ１０７）。Root Complex２１は、リセット信号が入力されると、Root Complex２１内のレジスタがリセットされる。
【００２２】
なお、上述した実施形態では、コンピュータ１０のＥＣ／ＫＢＣ２７がコンピュータ１０が異常状態とであると判別すると、ＬＥＤ１９等の表示手段に表示後、リセット要求があれば、リセット処理を行っているが、コンピュータ１０のＥＣ／ＫＢＣ２７がコンピュータ１０が異常状態とであると判別すると、自動的にリセット処理を行うようにしてもよい。
【００２３】
また、上述した実施形態では、リセットボタン１７を備えたコンピュータ１０として説明しているが、「電源ボタン３２＋所定のキー」等の組み合わせで、この組み合わせの操作が行われた場合にリセット要求が発生するようにしてもよい。
【００２４】
以上、本発明の実施形態によれば、コンピュータのＣＰＵの動作の有無にかかわらず、異常状態でコンピュータのシステムが止まってしまった場合にも正常に起動することができる。さらに、ノートＰＣ等でリセット処理を行うために内蔵のボタン電池等をはずせない場合でも、正常に起動することができる。
【００２５】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２６】
【図１】本発明の一実施形態に係る情報処理装置であるノートブック型コンピュータを示した斜視図。
【図２】本発明の一実施形態に係る情報処理装置であるノートブック型コンピュータの構成を示したブロック図。
【図３】本発明の一実施形態に係る情報処理装置の制御方法について説明したフローチャート。
【符号の説明】
【００２７】
１０…コンピュータ、１１…ディスプレイ、１２…表示画面、１３…キーボード、１４…タッチパッド、１６…本体、１７…リセットボタン、１８…ショートカットボタン、２０…ＣＰＵ、２３…グラフィクスコントローラ、２４…主メモリ、２５…ＨＤＤ、３２…電源ボタン。
【図１】
2007299032.tif 000003
【図２】
2007299032.tif 000004
【図３】
2007299032.tif 000005